(57)【要約】【課題】  予約録画を行わない空き時間にダビング処理を行い、予約録画動作に影響を与えることなく、ダビング終了までの所要時間を短縮できる記録装置を提供する。【解決手段】  予約録画情報取得部１３は、現在登録している各予約情報のうち予約開始時刻、予約終了時刻を取得し各予約録画間の時間を算出する（一つの予約録画終了から次の予約録画開始までの空き時間を算出する）。次にダビング分割判断部１４が、ダビング開始時刻とダビング所要時間、及び各予約録画間の時間に基づき、ダビング処理の時分割要と判断した場合には、ダビング分割処理部１５によってダビング処理時分割のタイムスケジュールを生成する。ダビング処理部１６は生成したタイムスケジュールに従って、ストレージからディスクへダビング処理を時分割して実行する。【選択図】      図２
2007221508.tif 000002
【特許請求の範囲】
【請求項１】
入来予定の第１の所定データの予約記録を開始するための予約開始時刻と、その予約記録を終了するための予約終了時刻とを予約情報として記憶する記憶手段と、
前記記憶手段に記憶された前記予約情報に基づき、前記第１の所定データの記録を行う記録手段と、
記録済みの第２の所定データのダビングが指示された場合、そのダビングの指示された時点での時刻をダビング開始時刻として取得する時刻取得手段と、
前記第２の所定データのダビング処理を開始し終了するまでに必要なダビング所要時間を算出する算出手段と、
前記予約開始時刻と前記予約終了時刻と前記ダビング開始時刻と前記ダビング所要時間とに基づき、予約記録が行われていない時間帯に前記第２の所定データのダビング処理が実行されるように、前記第２の所定データのダビング処理の時分割設定を行うダビング分割設定手段と、
前記第２の所定データのダビング処理を、前記時分割設定に応じて時分割して実行するダビング実行手段と、
を備えたことを特徴とする記録装置。
【発明の詳細な説明】
【技術分野】
【０００１】
本発明は、ＴＶ番組等の予約記録に影響を与えずに、記録媒体に記録済みのデータ等のダビング処理を効率的に行える記録装置に関するものである。
【背景技術】
【０００２】
近年、ＴＶ放送番組をデジタルストリームとして記録し再生するデジタルレコーダーが普及している。デジタルレコーダーにおいては、ストリームを記録する手段として、ストレージ（記憶装置）としてのハードディスク、着脱自在のディスクメディアとしてのＤＶＤなどがある。ユーザは、録画機能を使って、ハードディスクに映像や音声を記録していき、必要に応じてＤＶＤなどのディスクにダビングするといったことが行われている。
【０００３】
録画機能の１つとして録画したい放送番組の開始時刻と終了時刻を機器に予め設定しておき、開始時刻になると自動的に録画が開始されるといった予約録画機能がある。このときダビング動作を行おうとしている時間と、予約録画に設定した時刻が重なっている場合、ダビング動作と録画動作のどちらかが影響を受け完全に動作が完了しない場合があった。特開２００４−４０３３５号公報では、予約録画の開始時刻と終了時刻及びダビングにかかる所要時間を比較し、ダビングの実行開始時刻を移動させ、ダビング動作と録画動作とが共に完全に行われるようにしている。
【特許文献１】特開２００４−４０３３５号公報
【発明の開示】
【発明が解決しようとする課題】
【０００４】
上述した従来の技術によれば、予約録画を実行する時間帯を除く空いた時間に、所定のデータのダビング所要時間が完全に収まりきらない場合には、収まる場所まで実行開始時間を遅らせていくあるいはダビング自体を中止している。
【０００５】
現在時刻に近接する予約録画設定の数が多く、各予約録画の終了時刻と開始時刻とが密接している場合には、一つの予約録画終了から次の予約録画開始までの空き時間帯が短い。よって、その空き時間帯にダビングを完全に終了させることのできる確率は低くなり、ダイビングを開始する時刻が複数の予約録画の終了後にずれ、ダビング指示を受けてから実際にダビングを終了するまでにかなり時間がかかってしまうことが多かった。
【０００６】
そこで本発明は、予約録画を行っていない時間を有効に活用してダビング処理を行い、予約録画動作に影響を与えることなく、ダビング終了までの所要時間を短縮できる記録装置を提供することを目的とする。
【課題を解決するための手段】
【０００７】
そこで、上記課題を解決するために本発明は、以下の記録装置を提供するものである。
入来予定の第１の所定データの予約記録を開始するための予約開始時刻と、その予約記録を終了するための予約終了時刻とを予約情報として記憶する記憶手段と、
前記記憶手段に記憶された前記予約情報に基づき、前記第１の所定データの記録を行う記録手段と、
記録済みの第２の所定データのダビングが指示された場合、そのダビングの指示された時点での時刻をダビング開始時刻として取得する時刻取得手段と、
前記第２の所定データのダビング処理を開始し終了するまでに必要なダビング所要時間を算出する算出手段と、
前記予約開始時刻と前記予約終了時刻と前記ダビング開始時刻と前記ダビング所要時間とに基づき、予約記録が行われていない時間帯に前記第２の所定データのダビング処理が実行されるように、前記第２の所定データのダビング処理の時分割設定を行うダビング分割設定手段と、
前記第２の所定データのダビング処理を、前記時分割設定に応じて時分割して実行するダビング実行手段と、
を備えたことを特徴とする記録装置。
【発明の効果】
【０００８】
本発明の記録装置によれば、ダビング処理に必要な時間帯と予約記録を実行する時間帯とが重なる場合、予約記録の行われていない時間帯にダビング処理が実行されるように、ダビング処理の時分割設定を行いダビング処理を時分割して実行するので、予約録画及びダビング処理のどちらも中止させることなく、共に完全に実行することができる。さらに、ダビング処理を時分割して実行するようにしたので、所定データのダビングにかかる所要時間を連続して確保する必要がなく、予約録画を行っていない時間を有効に活用できるので、結果的にダビング終了までにかかる時間を短縮することができる。
【発明を実施するための最良の形態】
【０００９】
以下、図面を参照しながら本発明の実施の形態について実施例に基づき説明する。
［実施例１］
図１は、本発明の一実施例である記録再生装置を示す図である。この装置は、信号入力部４から入来する映像、音声等を含む信号を記録再生部５により符号化して、ストレージ１０（ハードディスク装置等）または着脱自在のディスク１１（ＤＶＤ等）にデジタルストリームとして記録する。
【００１０】
デジタルストリームは、タイトル名、記録位置、記録長、記録時刻などの属性データを有しており、この属性データはストレージ１０あるいはディスク１１の所定の場所に記録される。
【００１１】
また、本記録再生装置は信号入力部４から入力されるコンテンツに対して、リモコンなどによるユーザ入力部１によって指定される予約開始時刻と予約終了時刻との予約情報に基づき予約録画する機能を有している。入力された予約情報は、入力処理部２を介して入力情報記憶部３に登録され、予約した所定の時刻に達すると、登録された予約情報に基づき、目的とするコンテンツを自動的に録画記録する。（記録再生部５とストレージ制御部８ストレージ１０、あるいは記録再生部５とディスク制御部９とディスク１１とを用いて予約録画を行う。）
既に記録してあるデジタルストリームの再生時には、コンテンツ情報管理部７によって属性データを呼び出し、ストリームを特定し、記録再生部５で復号化再生し出力部６から出力する。
【００１２】
次に、例えばストレージ１０に記録されているデジタルストリームをディスク１１にダビングする場合の動作について説明する。デジタルコンテンツについては著作権を保護する目的でダビングを抑制するものがあるが、下記に示すものは、ダビングされることを制限していないコンテンツを対象としている。
【００１３】
図２は記録再生部５内のダビング時に動作する部分の構成を示したものである。
（１）  図１に示すユーザ入力部１からの指示でダビング元となるストレージ１０に記録されている特定のストリームをディスクへダビングするという要求が入力処理部２で決定すると、図２に示すダビング情報取得部１２において、現在の時刻をダビング開始時刻として取得しさらにダビングに要する時間（ダビング処理を開始し終了するまでに必要なダビング所要時間）を算出する。
（２）  予約録画情報取得部１３は、現在登録している各予約情報のうち予約開始時刻、予約終了時刻を入力情報記憶部３から取得し各予約録画間の時間を算出する（一つの予約録画終了から次の予約録画開始までの空き時間を算出する。）。算出の例として予約録画スケジュールとダビング処理の関連を示した図３を用いて説明する。例えば入力情報記憶部に予約録画Ａと予約録画Ｂのみが図３に示すように登録されている場合、予約録画Ａは時刻ｔｉｍｅＡ０からｔｉｍｅＡ１までの録画時間であり、予約録画Ｂは時刻ｔｉｍｅＢ０からｔｉｍｅＢ１までの録画時間である。したがって、上記（１）で得られた現在の時刻（ダビング開始時刻）をｔｉｍｅ０とすると、算出される各予約録画間の時間（予約録画の行われない空き時間帯）は、ｔｉｍｅ０からｔｉｍｅＡ０、ｔｉｍｅＡ１からｔｉｍｅＢ０となる。
（３）  次にダビング分割判断部１４では、上記（１）で得られた現在時刻（ダビング開始時刻）とダビング所要時間、及び上記（２）で得られた各予約録画間の時間（予約録画の行われない空き時間帯）を基に、ダビング元となるストリームを分割するかどうかの判断を行う。図３の例であれば、ｔｉｍｅ０からｔｉｍｅＡ０の時間にダビング時間が収まらないため、ダビング処理を時分割すると判断する。
（４）  上記（３）によってダビング処理を時分割すると判断した場合には、ダビング分割処理部１５によって、ダビング処理時分割のタイムスケジュールを生成する。図３示す例では、ダビング処理を分割１〜分割３に分け、分割１〜分割３のそれぞれを予約記録が行われていない時間帯に実行するようにタイムスケジュールを生成する。
（５）  ダビング処理部１６は上記（４）により生成したタイムスケジュールに従って、ストレージ制御部８とディスク制御部９とを制御して、ストレージ１０からディスク１１へダビング処理を時分割して実行する。一方、上記（３）でダビング処理を時分割する必要がないと判断した場合は、現在時刻ｔｉｍｅ０からｔｉｍｅ０＋ダビング所要時間まで、ダビング処理部１６によって、ストレージ１０からディスク１１へダビング処理が連続して行われる。
【図面の簡単な説明】
【００１４】
【図１】本発明の一実施例である記録再生装置を示す図である。
【図２】一実施例における記録再生部の内部構成例を示す図である。
【図３】ダビング処理の時分割設定を説明するための図である。
【符号の説明】
【００１５】
１  ユーザ入力部
２  入力処理部
３  入力情報記憶部
４  信号入力部
５  記録再生部
６  出力部
７  コンテンツ情報管理部
８  ストレージ制御部
９  ディスク制御部
１０  ストレージ
１１  ディスク
１２  ダビング情報取得部
１３  予約録画情報取得部
１４  ダビング分割判断部
１５  ダビング分割処理部
１６  ダビング処理部
【図１】
2007221508.tif 000003
【図２】
2007221508.tif 000004
【図３】
2007221508.tif 000005